(57)【特許請求の範囲】
【請求項１】
柔軟性を有する対のカバーシートと、補強シートとを有する宅配運送用スノーボード包装袋であって、
対のカバーシートは、スノーボードを収納する袋となるシートであり、スノーボードの形状を象った縦長の略長方形の外形を有し、一部を除いて周縁部分が接合され、
対のカバーシート間には、挿入用開口を有し、
挿入用開口は、スノーボードを袋内に出し入れするためのものであり、袋の上縁中央から一側縁の中央下部にかけて形成され、開閉可能であり、
袋は、挿入用開口の開放時において、下縁から一定の立上り高さの範囲にわたって対のカバーシートの両縁が閉じられたポケットを有し、
ポケットは、挿入用開口を通して挿入されたスノーボードの一端を受入れる部分であり、
補強用シートは、袋内に収納されたスノーボードの両端エッジを覆う緩衝材であって、袋内の上下縁から一定の長さの範囲にわたりシート面に積層されたものであり、
下縁の補強シートは、ポケットに積層され、ポケットを定形に保型させるものであることを特徴とする宅配運送用スノーボード包装袋。
【請求項２】
宅配運送用スノーボード包装袋は、フラップを有し、
フラップは、袋の上縁から一定の距離を置いて一方のカバーシート袋内に垂下させて保持させたものであり、
フラップと、該フラップを取付けたカバーシート間は、袋内に収納された小型のスノーボードの上端エッジの収納空間となるものであることを特徴とする請求項１に記載の宅配運送用スノーボード包装袋。
【請求項３】
２以上のフラップを有し、各フラップは、それぞれ保持位置が異なり、各フラップと、各フラップを取付けたカバーシート間は、収納されるスノーボードの大きさに応じて選択的に上端エッジの収納空間となるものであることを特徴とする請求項２に記載の宅配運送用スノーボード包装袋。
【発明の詳細な説明】
【０００１】
【発明の属する技術分野】
本発明は宅配便に用いる宅配運送用スノーボード包装袋に関する。
【０００２】
【従来の技術】
最近のスキー場においては、スノーボーダの数はスキーヤの数を上廻る勢いである。スノーボードは、１枚の板の上に乗って雪上を滑行するスポーツであり、スノーボードの板は、スキーの板より幅が広く、長さは短く、スキーの板のように嵩高くはないが、スキー場へのスノーボードの運搬やスキー場からの返送はスキー用具などと同様に宅急（宅配）業者に委ねられるようになってきた。プレイヤーがスキーボードの運送を業者に依頼するときには、運送途中の破損，損傷の事故から保護するためにスノーボードを包装するのが通例である。
【０００３】
包装用の袋には、上縁に開口を有する柔軟な縦長の袋がある。上端が開放された縦長のビニール袋内にスノーボードを挿し込み、開口を封止することによってスノーボードを梱包することができる。
【０００４】
【発明が解決しようとする課題】
しかしながら、スノーボードの梱包に、上端が開放された柔軟な縦長の袋を用いたのでは、袋に自立性がないため、袋内へのスノーボードの挿入あるいは袋内からの取出しの操作が厄介である。殊にプレイを終了したプレイヤーが業者への運送依頼の取り次ぎをスキー場のフロントなどに依頼をするときには、顧客であるプレイヤー自らが袋内にスノーボードを入れなければならない場合があり、スノーボードの板の一面には、ブーツ取付用のビンディングが張り出して取り付けられているため、これが袋の開口に引掛かることがあり、単にスノーボードを袋内に収納するだけのことであっても、不慣れな者や、帰宅前のあわただしい中での梱包の作業は必ずしも容易ではない。又、袋内にスノーボードを収納しても袋に柔軟なビニールシートのみを用いたのでは、スノーボードの両端のエッジで袋が引き裂かれて運送中に袋内からスノーボードが露出する危険があり、又逆に外部から衝撃を受けて両端エッジに破損を受ける虞れがある。
【０００５】
本発明の目的は、袋内へのスノーボードの挿入，取出しが容易であり、スノーボードの両端エッジを保護して収納しうるスノーボードに専用に用いる宅配運送用スノーボード包装袋を提供することにある。
【０００６】
【課題を解決するための手段】
上記目的を達成するため、本発明による宅配運送用スノーボード包装袋においては、柔軟性を有する対のカバーシートと、補強シートとを有する宅配運送用スノーボード包装袋であって、
対のカバーシートは、スノーボードを収納する袋となるシートであり、スノーボードの形状を象った縦長の略長方形の外形を有し、一部を除いて周縁部分が接合され、
対のカバーシート間には、挿入用開口を有し、
挿入用開口は、スノーボードを袋内に出し入れするためのものであり、袋の上縁中央から一側縁の中央下部にかけて形成され、開閉可能であり、
袋は、挿入用開口の開放時において、下縁から一定の立上り高さの範囲にわたって対のカバーシートの両縁が閉じられたポケットを有し、
ポケットは、挿入用開口を通して挿入されたスノーボードの一端を受入れる部分であり、
補強用シートは、袋内に収納されたスノーボードの両端エッジを覆う緩衝材であって、袋内の上下縁から一定の長さの範囲にわたりシート面に積層されたものであり、
下縁の補強シートは、ポケットに積層され、ポケットを定形に保型させるものである。
【０００８】
また宅配運送用スノーボード包装袋は、フラップを有し、フラップは、袋の上縁から一定の距離を置いて一方のカバーシートから袋内に垂下させて保持させたものであり、フラップと、該フラップを取付けたカバーシート間は、袋内に収納された小型のスノーボードの上端エッジの収納空間となるものである。
【０００９】
また２以上のフラップを有し、各フラップは、それぞれ保持位置が異なり、
各フラップと、各フラップを取付けたカバーシート間は、収納されるスノーボードの大きさに応じて選択的に上端エッジの収納空間となるものである。
【００１０】
保管時に折畳まれている袋を拡げて挿入用開口を開き、袋の上縁をもって吊下げると、袋の上縁から側縁にかけて袋内は大きく開放される。挿入用開口を通してスノーボードを袋内のポケットに挿し込み、袋の上縁を持ったまま上方に袋を吊り下げると、スノーボードは自ずから袋内に収容され、挿入用開口を閉じることによって梱包される。スノーボードの両端エッジは、補強シートに保護される。袋の全長に比して長さが短いスノーボードを収納するときには、スノーボードの上端側となる一方のエッジをフラップとカバーシートとの間に形成される収納空間に挿し込んで袋内に安定に収納する。
【００１１】
【発明の実施の形態】
以下に本発明を図によって説明する。図１において、本発明による宅配運送用スノーボード包装袋は、対のカバーシート１ａ，１ｂと、補強シート２とを組合せて袋状に加工したものである。カバーシート１ａ，１ｂは、塩化ビニルの延伸シートやポリエチレンシートのように強勤で、柔軟性を有するプラスチックシートであって、スノーボードの概略の外形形状を象り、各隅に曲縁を付した縦長長方形のシートである。対のカバーシート１ａ，１ｂは、一部を除いて周縁部分を縫着し、スノーボード収納袋（以下袋Ａという）に縫製加工されたものである。
【００１２】
もっとも、通常は、縫着によるが、強度が得られれば接着でも構わない。袋Ａを図１のように縦長に保持したときの袋Ａ内には、その上下縁にそれぞれ補強シート２，２の対を配置し、図２のように対応するカバーシート１ａ，１ｂの面に沿わせて一体に縫着し、さらに両カバーシート１ａ，１ｂにフラップ３を介在させ、その上縁を一方のカバーシート１ａに縫着するとともに一側をカバーシート１ａの周縁部と一体に縫着し、フラップ３を袋Ａ内に垂下させて定位置に保持させる。フラップ３を縫着する側のカバーシート１ａには、フラップ３を越えてシート１ａの面を覆う補強シート２を用いている。補強シート２およびフラップ３は、発泡シートなどの緩衝性を有するシートである。袋Ａには、挿入用開口４が形成されている。挿入用開口４は、スノーボードを出し入れするためのものであり、対のカバーシート１ａ，１ｂの上縁中央部から一側の中央下部にかけて大きく開口されている。挿入用開口４を形成する両カバーシート１ａ，１ｂの開口縁には、開閉用のファスナー５を装着する。袋Ａの下縁から、挿入用開口４の下端に至る範囲は、対のカバーシートの両縁が縫着されてポケット６を形成している。ポケット６は、挿入用開口４を通し、挿入されたスノーボードの一端を受け入れる部分であり、カバーシート１ａ，１ｂに積層された補強シート２，２によって定形に保型される。
【００１３】
本発明による宅配運送用スノーボード包装袋は、両カバーシート１ａ，１ｂを重ねて４つ折り又は８つ折りに折り畳んで保管されている。使用の際には、折畳まれたカバーシート１ａ，１ｂを拡げ、挿入用開口４のファスナー５を開き、図３のように袋Ａの上縁を片手で持ち、縦長の姿勢で袋Ａを吊下げ、スノーボード７を他方の手で掴み、挿入用開口４を通して袋Ａ内にその一端（下端）をポケット６内に挿入する。ポケット６内にスノーボード７の一端が受入れられると、袋Ａにはスノーボード７の重量が掛かり、両カバーシート１ａ，１ｂはスノーボード７の両面に沿い、袋Ａを吊り上げ気味に持ち上げると、スノーボード７は、図４のように自ずから袋Ａ内に収納される。次に挿入用開口４のファスナー５を閉じて梱包を完了する。宅配便として運送する際の伝票は、カバーシートの適宜個所に貼付けてもよいが、カバーシートに透明シートを用い、カバーシートの内面側に伝票入れ８を設けてもよい。
【００１４】
袋Ａの全長に比べてスノーボード７の長さが短いときには、図５のように袋Ａ内に収納されたスノーボード７の上端を、フラップ３と、一方のカバーシート１ａ間に挿し込んで保持させる。スノーボード７の両端のエッジは、両カバーシートの内面に付された補強シート２，２又は、補強シート２とフラップ３間に覆われる。一つの袋Ａで長さが異なる２種類以上のスノーボードの収納に兼用するときには、図６に示すように、袋Ａ内に一定間隔を置いて、２以上のフラップ３，３を取付けてもよい。
【００１５】
また、スノーボード７は、図７のようにケース９に収納されることがある。本発明によれば、勿論、スノーボード７をケース９に収納したままでも袋Ａ内に収容することができる。
【００１６】
【発明の効果】
以上のように本発明によれば、袋の上縁から一側縁にかけて挿入用開口を大きく開くため、スノーボードの収納に際しては、板面に張り出されたベンディングに妨げられずに挿入でき、また、袋のポケットは補強用シートに保型されて定形を保ち、スノーボードの下端を受け入れ、両カバーシートは、自ずからスノーボードの両面に沿うため、スノーボードを無理なく袋内に収めることができる。
【００１７】
また、補強シートは、収納されたスノーボードのエッジによる袋の破損を防止し、逆に補強シートの有する緩衝性によって運送中の衝撃などから両端エッジを有効に保護できる。さらに袋内に１または２以上のフラップを設けることにより、袋の長さよりスノーボードの全長が短いときにその一端をフラップと一方のカバーシートとの間に受け入れて安定に保持でき、１又は２以上のフラップを袋内に設けて、１つの袋を長短２種以上の宅配運送用スノーボード包装袋に兼用できる。
【図面の簡単な説明】
【図１】本発明によるスノーボード運送用袋の一実施形態を示す側面図である。
【図２】スノーボード運送用袋の部品図である。
【図３】スノーボードを袋内へ挿入する要領を示す図である。
【図４】袋内にスノーボードを収納した状態を示す図である。
【図５】袋内にスノーボードを収納した状態の他の例を示す図である。
【図６】２枚のフラップを袋内に設けた例を示す図である。
【図７】スノーボードをケース毎袋内に収納した例を示す図である。
【符号の説明】
１ａ，１ｂ  カバーシート
２  補強シート
３  フラップ
４  挿入用開口
５  ファスナー
６  ポケット
７  スノーボード
８  伝票入れ
９  ケース
【図１】
0003612820.tif 000002
【図２】
0003612820.tif 000003
【図３】
0003612820.tif 000004
【図４】
0003612820.tif 000005
【図５】
0003612820.tif 000006
【図６】
0003612820.tif 000007
【図７】
0003612820.tif 000008